(57)【要約】      （修正有）【課題】火災発生時など緊急時にすぐに準備することができ、かつ、避難時に両手を塞ぐことなく使用者の鼻や口を覆うことができる濡れマスクを提供する。【解決手段】濡れマスクは、水分を含む布又は紙と、口及び鼻付近に前記布又は紙を固定する２本の紐２と、保存容器とにより構成する。前記各紐は、前記布又は紙をマスクとして使用する場合には、該布又は紙の長手方向両端部にそれぞれ固定される。前記２本の紐が固定された前記布又は紙は、前記保存容器に密封収納して保管する。【選択図】図１
0003159849.tif 000002
【実用新案登録請求の範囲】
【請求項１】
水分を含む布又は紙と、
口及び鼻付近に前記布又は紙を固定する２本の紐と、
保存容器と、を含む濡れマスクであって、
前記各紐は、前記布又は紙をマスクとして使用する場合における、該布又は紙の長手方向両端部にそれぞれ固定され、
前記２本の紐が固定された前記布又は紙は、前記保存容器に密封収納されることを特徴とする濡れマスク。
【請求項２】
前記布又は紙は、１枚の布又は紙であり、
前記各紐は、前記１枚の布又は紙を折り畳んだ状態でマスクとして使用する場合における、折り畳んだ該１枚の布又は紙の長手方向両端部にそれぞれ固定されていることを特徴とする請求項１に記載の濡れマスク。
【請求項３】
前記１枚の布又は紙は、折り畳まれた状態において重なる部分が１点以上で止められていることを特徴とする請求項２に記載の濡れマスク。
【請求項４】
前記２本の紐が固定された前記布又は紙は、前記保存容器に、真空状態で密封収納されることを特徴とする請求項１又は３の何れか一に記載の濡れマスク。
【考案の詳細な説明】
【技術分野】
【０００１】
本考案は、おしぼりとしても使用可能であると共に、災害避難時に防煙マスクとして使用可能な濡れマスクに関するものである。
【背景技術】
【０００２】
非特許文献１などによると、火災時には、濡れタオルやハンカチなどで鼻や口を覆い、煙を吸わないようにして非難することが勧められている。つまり、濡れタオルが火災時の煙に含まれる有毒ガスをある程度吸収することにより、濡れタオルを使用しない場合に比べ相対的に長い時間、避難することができる。
【先行技術文献】
【非特許文献】
【０００３】
【非特許文献１】防災の手引（東京消防庁監修、財団法人東京防災指導協会発行）
【考案の概要】
【考案が解決しようとする課題】
【０００４】
しかしながら、火災時に濡れタオルで鼻や口を覆う場合、手を使って濡れタオルを抑える必要があり、少なくとも片手、場合によっては両手が塞がり、避難行動に支障をきたす恐れがあるという問題点がある。
【０００５】
また、火災が発生し現場から避難する必要がある場合とは緊急時であり、そういった緊急事態の中、タオルを洗面所に行き濡らした後、その濡らしたタオルで鼻や口を覆いながら避難するという一連の行動をとることは現実的に無理があるという問題点がある。
一方、タオルに含ませた水分は時間の経過と共に蒸発するため、火災時に備え、常時濡れタオルを準備しておくことができないという問題点もある。
【０００６】
そこで、本考案は、上記問題点に鑑み、火災発生時など緊急時にすぐに準備することができ、かつ、避難時に両手を塞ぐことなく使用者の鼻や口を覆うことができる濡れマスクを提供することを目的とする。
【課題を解決するための手段】
【０００７】
本考案においては、火災発生時の避難の際、避難者の鼻や口を塞ぐための濡れタオルを耳掛け可能なマスクにすることで、避難者の両手を解放させることができ、避難者は解放された両手を使いながらより早く確実に火災の現場から避難することが可能となる。
【０００８】
また、本考案においては、水分を含ませたマスクを保存容器に密封保管することで、マスクを濡れた状態に保つことができ、火災発生時など緊急時であっても、すぐに防煙マスクを準備することができる。
【０００９】
また、本考案においては、水分を含ませたマスクを折り畳んで保存容器に入れ常備可能な大きさ・形態とすることで、火災発生時など非常時であっても、すぐに水分を含ませたマスク（防煙マスク）を準備することができ、避難者は迅速、かつ安全に火災現場から避難することができる。
なお、本考案における濡れマスクは、防煙マスクとして使用せず、保存容器から取り出しおしぼりとして使用することも可能である。
【考案の効果】
【００１０】
本考案に係る濡れマスクは、火災発生時など緊急時にすぐに準備することができ、かつ、避難時に両手を塞ぐことなく使用者の鼻や口を覆うことができる。
【図面の簡単な説明】
【００１１】
【図１】実施例１における濡れマスク本体の平面図である。
【図２】実施例１における濡れマスク本体（折り畳んだ状態）の平面図である。
【図３】本考案に係る濡れマスク本体（折り畳んだ状態）を収納する保存容器の一例の平面図である。
【図４】実施例２における濡れマスク本体の平面図である。
【図５】実施例２における濡れマスク本体（折り畳んだ状態）の平面図である。
【図６】実施例３における濡れマスク本体の平面図である。
【考案を実施するための形態】
【００１２】
図面を参照しながら、本考案を実施するための形態について説明する。
【実施例１】
【００１３】
図１乃至図３を用いて、本考案に係る濡れマスク２０の製造方法及び使用方法の実施例１について説明する。ここで、濡れマスク２０は、濡れマスク本体１０と濡れマスク本体１０を密封収納する保存容器５とを含む。図１は、実施例１における濡れマスク本体１０の平面図であり、図２は、実施例１における濡れマスク本体１０（折り畳んだ状態）の平面図である。
【００１４】
図１で示すように、濡れマスク本体１０は、素材１、２本の紐２を有する。素材１は、水分を含ませた布又は紙であり、布は綿、化学繊維又はこれら混合の織物であっても良く、これらを材料とする不織布であっても良い。例えば、素材１は、市販のタオル生地であっても良いし、素材１の大きさは、長辺２４０ｍｍ、短辺１８０ｍｍ程度の大きさとしても良い。また、素材１は、防腐剤、除菌剤を含む精製水で濡れ状態を作っても良い。
【００１５】
図２で示すように、素材１は、２つの折り曲げ部３で折り曲げ、三つ折りにした状態で、防煙マスクとして使用する。また、図２で示すように、素材１は、三つ折りにした状態を保つために、素材１の重なる部分が１点以上で止められる（図２では３点止め）。ここで、素材１の重なる部分の止め方は、縫い付けであっても良く、接着剤を使用して止めても良く、止め方はこれらに限定されない。また、図２で示すように、止める位置については、折り畳んだ素材１の長辺部でもあっても良く、短辺部又は長短両辺部で止めても良い。
【００１６】
紐２は、素材１を、濡れマスク本体１０の使用者の鼻・口付近に固定（装着）させるためのものである。紐２は、濡れマスク本体１０の使用者の鼻・口付近に固定（装着）させることが目的である限り、収縮性のあるゴム状のものであっても良く、素材１と同じ材質のものであっても良い。
【００１７】
図２で示すように、各紐２は、三つ折りにした状態の素材１において、長手方向の両端部にそれぞれ固定される。ここで、紐２の固定方法は、縫い付けでも良く、接着剤を使用して固定しても良く、固定の方法はこれらに限定されない。
【００１８】
また、図１で示すように、各紐２は、３分割された素材１の中央部に固定されているが、固定される位置が三つ折りにした状態の素材１において長手方向の両端部となる限り、素材１のどの部分に固定されても良い。例えば、各紐２は、３分割された素材１の左部又は右部にそれぞれ固定されても良いし、一方の紐２が左部、他方の紐２が右部に固定されても良い。
【００１９】
ここで、図３で本考案に係る保存容器５（濡れマスク２０の全体図）の一例を示す。図２で示す濡れマスク本体１０は、保存容器５に密封収納される。この際、濡れマスク本体１０は、小さく折り畳んで保存容器５に密封収納しても良い。例えば、保存容器５は、アルミニウムラミネートの袋状容器であって、その際、濡れマスク本体１０は当該袋状容器の開口部から収納され、当該開口部をヒートシールして密封する。また、濡れマスク本体１０を保存容器５に密封収納する際、真空状態で密封収納しても良い。
【００２０】
上記のようにして、濡れマスク２０は製造され、保存容器５を開けない限り濡れ状態が保たれる。また、濡れマスク２０は、保存容器５を小さく製造すれば、置き場所も取らず使用者の手が容易に届く場所に常備することができる。
【００２１】
一方、濡れマスク２０は、火災発生時などに保存容器５を開封した後、濡れマスク本体１０を保存容器５から取り出し、２本の紐２を使用者の両耳に掛け防煙マスクとして使用することで、火災避難時などに有毒ガスを吸引するリスクを軽減させ熱気流を遮断し喉を守ると共に、両手を解放させる。また、濡れマスク本体１０は、保存容器５の中で濡れた状態が保たれているので、保存容器５から取り出しおしぼりとして使用することも可能である。その際、濡れマスク本体１０の固定部４を取り外して、素材１を折り畳み状態から解放させれば、より大きなおしぼりとして利用可能である。
【実施例２】
【００２２】
図３乃至図５を用いて、本考案に係る濡れマスク２０の製造方法及び使用方法の実施例２について説明する。ここで、実施例１と同様に濡れマスク２０は、濡れマスク本体１０と濡れマスク本体１０を密封収納する保存容器５とを含む。図４は、実施例２における濡れマスク本体１０の平面図であり、図５は、実施例２における濡れマスク本体１０（折り畳んだ状態）の平面図である。
【００２３】
図４で示すように、濡れマスク本体１０は、素材１、２本の紐２を有する。素材１は、水分を含ませた布又は紙であり、布は綿、化学繊維又はこれら混合の織物であっても良く、これらを材料とする不織布であっても良い。例えば、素材１は、市販のタオル生地であっても良いし、素材１の大きさは１６０ｍｍ（図４の横方向）×１８０ｍｍ（図４の縦方向）程度の大きさとしても良い。また、素材１は、防腐剤、除菌剤を含む精製水で濡れ状態を作っても良い。
【００２４】
図４で示すように、素材１は、折り曲げ部３で折り曲げ、二つ折りにした状態で防煙マスクとして使用する。また、図５で示すように、素材１は、二つ折りにした状態を保つために、素材１の重なる部分が１点以上で止められる（図５では３点止め）。ここで、素材１の重なる部分の止め方は、縫い付けであっても良く、接着剤を使用して止めても良く、止め方はこれらに限定されない。また、図５で示すように、止める位置については、折り畳んだ素材１の長辺部でもあっても良く、短辺部又は長短両辺部で止めても良い。
【００２５】
紐２は、素材１を、濡れマスク本体１０の使用者の鼻・口付近に固定（装着）させるためのものである。紐２は、濡れマスク本体１０の使用者の鼻・口付近に固定（装着）させることが目的である限り、収縮性のあるゴム状のものであっても良く、素材１と同じ材質のものであっても良い。
【００２６】
図５で示すように、各紐２は、二つ折りにした状態の素材１において、長手方向の両端部にそれぞれ固定される。ここで、紐２の固定方法は、縫い付けでも良く、接着剤を使用して固定しても良く、固定の方法はこれらに限定されない。
【００２７】
また、図４で示すように、各紐２は、２分割された素材１の左部に固定されているが、固定される位置が二つ折りにした状態の素材１において長手方向の両端部となる限り、素材１のどの部分に固定されても良い。例えば、各紐２は、２分割された素材１の右部にそれぞれ固定されても良いし、一方の紐２が左部、他方の紐２が右部に固定されても良い。
【００２８】
図５で示す濡れマスク本体１０は、保存容器５に密封収納される。この際、濡れマスク本体１０は、小さく折り畳んで保存容器５に密封収納されても良い。例えば、保存容器５は、アルミニウムラミネートの袋状容器であって、その際、濡れマスク本体１０は当該袋状容器の開口部から収納され、当該開口部をヒートシールして密封収納される。また、濡れマスク本体１０を保存容器５に密封収納する際、真空状態で密封収納しても良い。
【００２９】
上記のようにして、濡れマスク２０は製造され、保存容器５を開けない限り濡れ状態が保たれる。また、濡れマスク２０は、保存容器５を小さく製造すれば、置き場所も取らず使用者の手が容易に届く場所に常備することができる。
【００３０】
一方、濡れマスク２０は、火災発生時などに保存容器５を開封した後、濡れマスク本体１０を保存容器５から取り出し、２本の紐２を使用者の両耳に掛け防煙マスクとして使用することで、火災避難時などに有毒ガスを吸引するリスクを軽減させ熱気流を遮断し喉を守ると共に、両手を解放させる。また、濡れマスク本体１０は、保存容器５の中で濡れた状態が保たれているので、保存容器５から取り出しおしぼりとして使用することも可能である。その際、濡れマスク本体１０の固定部４を取り外して、素材１を折り畳み状態から解放させれば、より大きなおしぼりとして利用可能である。
【実施例３】
【００３１】
図３及び図６を用いて、本考案に係る濡れマスク２０の製造方法及び使用方法の実施例３について説明する。ここで、実施例１及び実施例２と同様に濡れマスク２０は、濡れマスク本体１０と濡れマスク本体１０を密封収納する保存容器５とを含む。図６は、実施例３における濡れマスク本体１０の平面図である。
【００３２】
図６で示すように、濡れマスク本体１０は、素材１、２本の紐２を有する。素材１は、水分を含ませた布又は紙であり、布は綿、化学繊維又はこれら混合の織物であっても良く、これらを材料とする不織布であっても良い。例えば、素材１は、市販のタオル生地であっても良いし、素材１の大きさは８０ｍｍ（図６の横方向）×１８０ｍｍ（図６の縦方向）程度の大きさとしても良い。また、素材１は、防腐剤、除菌剤を含む精製水で濡れ状態を作っても良い。
【００３３】
紐２は、素材１を、濡れマスク本体１０の使用者の鼻・口付近に固定（装着）させるためのものである。紐２は、マスク本体１０の使用者の鼻・口付近に固定（装着）させることが目的である限り、収縮性のあるゴム状のものであっても良く、素材１と同じ材質のものであっても良い。
【００３４】
図６で示すように、各紐２は、素材１の長手方向両端部にそれぞれ固定される。ここで、紐２の固定方法は、縫い付けでも良く、接着剤を使用して固定しても良く、固定の方法はこれらに限定されない。
【００３５】
図６で示す濡れマスク本体１０は、保存容器５に密封収納される。この際、濡れマスク本体１０は、小さく折り畳んで保存容器５に密封収納しても良い。例えば、保存容器５は、アルミニウムラミネートの袋状容器であって、その際、濡れマスク本体１０は当該袋状容器の開口部から収納され、当該開口部をヒートシールして密封収納される。また、濡れマスク本体１０を保存容器５に密封収納する際、真空状態で密封収納しても良い。
【００３６】
上記のようにして、濡れマスク２０は製造され、保存容器５を開けない限り濡れ状態が保たれる。また、濡れマスク２０は、保存容器５を小さく製造すれば、置き場所も取らず使用者の手が容易に届く場所に常備することができる。
【００３７】
一方、濡れマスク２０は、火災発生時などに保存容器５を開封した後、濡れマスク本体１０を保存容器５から取り出し、２本の紐２を使用者の両耳に掛け防煙マスクとして使用することで、火災避難時などに有毒ガスを吸引するリスクを軽減させ熱気流を遮断し喉を守ると共に、両手を解放させる。また、濡れマスク本体１０は、保存容器５の中で濡れた状態が保たれているので、保存容器５から取り出しおしぼりとして使用することも可能である。
【００３８】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００３９】
１    素材
２    紐
３    折り曲げ部
４    固定部
５    保存容器
１０  濡れマスク本体
２０  濡れマスク
【図１】
0003159849.tif 000003
【図２】
0003159849.tif 000004
【図３】
0003159849.tif 000005
【図４】
0003159849.tif 000006
【図５】
0003159849.tif 000007
【図６】
0003159849.tif 000008